(57)【要約】【課題】サージング現象の発生と結露の発生とを抑制する風向変更装置および空気調和機を提供する。【解決手段】風向変更装置（１２）は第１および第２の風向板（３４，３５）と、これら風向板が基板（３３）に沿って揺動するように遊びを持たせて係止する係止部を備えた連動板（４４）と、連動板（４４）を揺動させるモータ（４７）とを有し、第１の風向板（３４）と第２の風向板（３５）では遊びの大きさが異なる。【選択図】図７
2018031575.tif 000002
【特許請求の範囲】
【請求項１】
複数の風向板の各々が、当該複数の風向板の一方端の各々が基板の長手方向に沿って揺動するように、当該基板の長手方向において互いに間隔を置くようにして当該基板に支持され、空調された空気の吹き出し方向を制御する複数の風向板と、
前記複数の風向板の一方端の各々が、前記長手方向に沿って揺動するように、前記複数の風向板を、各々遊びを持たせて係止する複数の係止部を備えた連動板と、
前記連動板を前記長手方向に沿って揺動させる駆動部とを有しており、
前記長手方向の少なくとも両端側において基板に支持された風向板の前記遊びの大きさは、他の風向板の前記遊びの大きさと異なっていることを特徴とする風向変更装置。
【請求項２】
前記長手方向の少なくとも両端側において基板に支持された風向板の前記遊びの大きさは、前記他の風向板の前記遊びの大きさよりも大きいことを特徴とする請求項１に記載の風向変更装置。
【請求項３】
前記係止部は、前記連動板の平面を貫通するようにして設けられた開口部であり、前記風向板は、前記連動板を回動可能に軸支するとともに、当該連動板の当該開口部に係止される支持部を備えていることを特徴とする請求項１に記載の風向変更装置。
【請求項４】
前記遊びは、駆動力を与えられて働く前記連動板の作用点が、前記風向板の１つに当接して当該風向板の１つを動かし始めるまでに移動する距離であって、前記長手方向の少なくとも両端側において基板に支持された風向板に対応する当該距離は、前記他の風向板に対応する当該距離よりも大きいことを特徴とする請求項１〜３のいずれか１項に記載の風向変更装置。
【請求項５】
前記長手方向の両端側のそれぞれにおいて基板に支持された複数の風向板は、互いに大きさの異なる２種以上の遊びを有していることを特徴とする請求項１〜４のいずれか１項に記載の風向変更装置。
【請求項６】
前記連動板は、主連動板と、当該主連動板に対してスライド可能に係合するとともに当該主連動板に当接する当接部を有する副連動板とから構成され、
前記主連動板は、前記長手方向の前記両端側において前記基板に支持された前記風向板以外の他の複数の風向板を、各々遊びを持たせて係止する複数の主係止部を備えており、
前記副連動板は、前記長手方向の少なくとも両端側において前記基板に支持された前記風向板を、各々遊びを持たせて係止する副係止部を備えており、
前記主連動板は、前記駆動部によって、前記長手方向に沿って揺動され、前記副連動板に当接して、当該副連動板を揺動させるように構成されていることを特徴とする請求項１に記載の風向変更装置。
【請求項７】
請求項１〜６のいずれか１項に記載の風向変更装置を備えた空気調和機。
【発明の詳細な説明】
【技術分野】
【０００１】
本発明は、風向変更装置及びこれを備えた空気調和機に関する。
【背景技術】
【０００２】
特許文献１には、空気調和機の吹出口に設置され、風向を左右に変更するための風向変更装置が開示されている。
【先行技術文献】
【特許文献】
【０００３】
【特許文献１】特開２００９−７４７３１号公報（２００９年４月９日公開）
【発明の概要】
【発明が解決しようとする課題】
【０００４】
しかしながら、特許文献１に開示の風向変更装置では、次のような問題が考えられる。この問題について、図２０及び図２１を参照して説明する。
【０００５】
図２０は参考例として示す、空気調和機の吹出口に設置された風向変更装置の概略的構成を示す上面図であり、図２１は図２０に対応した図であって、（ａ）は駆動アームが揺動していない状態における風向板の配置を示す模式図であり、（ｂ）は駆動アームが揺動したときの風向板の配置を示す模式図である。
【０００６】
これらの図を参照して説明すると、風向変更装置２０１は、複数の風向板２０５を備えている。複数の風向板２０５は、それぞれの一方端が基板２０７の長手方向に互いに間隔を置くように固定され、他方端は連動板２１２に連結されている。基板２０７の左右方向両端部の裏側には、図示しないモータが設置されており、駆動アーム２０９はモータに接続されている。駆動アーム２０９が揺動すると、それに従って連結板２１２が揺動し、風向板２０５は、図２１の（ａ）に示す配置から、同図の（ｂ）に示す配置に変化可能である。
【０００７】
ところで、風向変更装置２０１では、筐体に設けられた吹出口（図示せず）の側壁面２１５付近において、吹出口の両端に位置する風向板２０５が側壁面２１５に近寄ると、流路が狭くなる。このため、吹出口から出された風は、風向変更装置２０１の側壁面２１５による抵抗を受ける。これにより、吹出口全体から吹き出る風の風量が低下するだけではなく、図２０中、丸で囲む部分に渦（乱流）が発生することがある。こうした渦が発生すると、吹出口の側壁面２１５付近において空気の流れは不安定となり、その結果、吹出口から正常に風が流れる状態と、風が逆流する状態とが交互に発生する、サージング現象が生じることがある。
【０００８】
また、風の逆流が生じると、空気調和機（図示せず）の吹出口の側壁面２１５付近では、外部の暖かく湿った空気が逆流して吹出口から入り込むことがある。ところが、例えば空気調和機の冷房時には、吹出口から冷たい風が吹き出ているため、逆流した湿った風が冷たい風で冷やされ、吹出口の側壁面２１５に結露が発生する虞がある。
【０００９】
本発明は、前記の問題点に鑑みてなされたものであり、その目的は、サージング現象の発生と、空気調和機の吹出口の側壁面における結露の発生とを抑制可能な、風向変更装置及びこれを備えた空気調和機を実現することにある。
【課題を解決するための手段】
【００１０】
上記の課題を解決するために、本発明の一態様に係る風向変更装置は、複数の風向板の各々が、当該複数の風向板の一方端の各々が基板の長手方向に沿って揺動するように、当該基板の長手方向において互いに間隔を置くようにして当該基板に支持され、空調された空気の吹き出し方向を制御する複数の風向板と、前記複数の風向板の一方端の各々が、前記長手方向に沿って揺動するように、前記複数の風向板を、各々遊びを持たせて係止する複数の係止部を備えた連動板と、前記連動板を前記長手方向に沿って揺動させる駆動部とを有しており、前記長手方向の少なくとも両端側において前記基板に支持された風向板の前記遊びの大きさは、他の風向板の前記遊びの大きさと異なっている。
【発明の効果】
【００１１】
本発明の一態様によれば、基板の長手方向の少なくとも両端側において基板に支持された風向板は、他の風向板の遊びとは大きさの異なる遊びで係止される。そのため、連動板の揺動に伴った風向板と連動板との位置関係の違いが生じる。これにより、風向板による風向の違いが生じるという効果を奏する。
【図面の簡単な説明】
【００１２】
【図１】本発明の実施形態１に係る空気調和機の外観形状を示す斜視図であって、導風パネルが閉じた状態における当該空気調和機の斜視図である。
【図２】図１に対応した図であって、導風パネルが下開きした状態における空気調和機の斜視図である。
【図３】図１に対応した図であって、導風パネルが上開きした状態における空気調和機の斜視図である。
【図４】図１に対応した図であって、空気調和機の内部構成を示す模式図である。
【図５】図４に対応した図であって、導風パネルが下開きした状態における空気調和機の内部構成を示す模式図である。
【図６】図３に対応した図であって、導風パネルが上開きした状態における空気調和機の内部構成を示す模式図である。
【図７】図４〜図６に示した風向変更装置の外観形状を示す斜視図である。
【図８】図７に対応した図であって、風向変更装置の一部を示す分解斜視図である。
【図９】図８に対応した図であって、風向変更装置の一部をさらに拡大して示す斜視図である。
【図１０】図７に示した風向板の拡大側面図である。
【図１１】図１０に対応した図であって、風向板の平面図である。
【図１２】図７に対応した図であって、連動板を示す平面図である。
【図１３】本発明の実施形態１に係る風向変更装置の動作を示す模式図であって、（ａ）は駆動アームが揺動していない状態における風向板の配置を示し、（ｂ）は駆動アームが揺動したときの風向板の配置を示す。
【図１４】（ａ）〜（ｃ）は、それぞれ、本発明の実施形態１に係る連動板の変形例を示す平面図である。
【図１５】本発明の実施形態２に係る風向変更装置の一部分を拡大して示す斜視図である。
【図１６】図１５に対応した図であって、（ａ）は主連動板の正面図であり、（ｂ）は主連動板の平面図であり、（ｃ）は副連動板の正面図であり、（ｄ）は副連動板の平面図であり、（ｅ）は主連動板の斜視図であり、（ｆ）は副連動板の斜視図である。
【図１７】図１５に対応した図であって、風向変更装置の一部を模式的に示す正面図である。
【図１８】本発明の実施形態３に係る風向板の側面図である。
【図１９】図１８に示した風向板の上面図である。
【図２０】参考例として示す、空気調和機の吹出口に設置された風向変更装置の概略的構成を示す上面図である。
【図２１】図２０に対応した図であって、（ａ）は駆動アームが揺動していない状態における風向板の配置を示す模式図であり、（ｂ）は駆動アームが揺動したときの風向板の配置を示す模式図である。
【発明を実施するための形態】
【００１３】
〔実施形態１〕
以下、本発明の実施の形態について詳細に説明する。図１は、本実施形態に係る空気調和機の外観を示す斜視図であり、図２及び図３は、それぞれ図１に対応した図である。図１は、導風パネルが閉じた状態における当該空気調和機の斜視図であり、図２は導風パネルが下開きをした状態における空気調和機の斜視図であり、図３は導風パネルが上開きした状態における空気調和機の斜視図である。
【００１４】
これらの図を参照して説明すると、空気調和機１は、風向変更装置、熱交換器及び室内ファン（図１ではいずれも図示せず）を備え、これらはキャビネット３に内装されている。キャビネット３は、高さよりも奥行が長い箱状に形成され、前面から底面にかけて湾曲面とされている。キャビネット３の上面には吸込口４が形成され、湾曲面には吹出口（図１では図示せず）が形成されている。導風パネル２０は、キャビネット３の前面を覆う、湾曲した１枚のパネルによって形成されており、下開き（図２参照）及び上開き（図３参照）が可能である。
【００１５】
続いて、空気調和機１の内部構成について図４〜図６に基づいて具体的に説明する。図４は、図１に対応した図であって、空気調和機の内部構成を示す模式図である。図５及び図６は、それぞれ図４に対応した図であって、図５は導風パネルが下開きした状態における空気調和機の内部構成を示す模式図であり、図６は、導風パネルが上開きした状態における空気調和機の内部構成を示す模式図である。
【００１６】
これらの図を参照して説明すると、キャビネット３の内部には、吸込口４から吹出口５に至る空気通路６が形成され、この空気通路６に風向変更装置１２、熱交換器１３及び室内ファン１４が設けられている。なお、本実施形態では、さらに、吸込口４と熱交換器１３との間に設けられ、吸込口４から吸い込んだ室内の空気から塵埃を除去するためのフィルタ７と、フィルタ７を清掃する清掃装置８が設けられている。
【００１７】
清掃装置８は、キャビネット３内でフィルタ７を移動させて、塵埃除去部９を通過させ、塵埃除去部９において、フィルタ７に付着した塵埃を除去する。キャビネット３内の前側には、側面視Ｕ字形に湾曲した案内路１０が形成され、モータ及びギア（いずれも図示せず）からなる移動部が、フィルタ７を案内路１０に沿って往復移動させる。塵埃除去部９において、回転ブラシ１１により、通過するフィルタ７から塵埃を掻き取り、吸引ファン（図示せず）により、フィルタ７と略平行方向（左右方向）に空気を流して、掻き取った塵埃を吸引して排出する。
【００１８】
次に、図４〜図６に示した風向変更装置１２の具体的な構成について、図７〜図１２を参照して説明する。
【００１９】
〔風向変更装置の構成〕
図７は、図４〜図６に示した風向変更装置の外観形状を示す斜視図であり、図８は、図７に対応した図であって、風向変更装置の一部を拡大して示す分解斜視図であり、図９は、図８に対応した図であって、風向変更装置の一部をさらに拡大して示す斜視図であり、図１０は、図７に示した風向板の拡大側面図であり、図１１は、図１０に対応した図であって、風向板の平面図であり、図１２は、図７に示した連動板の平面図である。
【００２０】
これらの図を参照して説明すると、風向変更装置１２は、基板３３と、第１の風向板３４，３６と、複数の第２の風向板３５，３７と、第１の連動板４４と、第２の連動板４５と、第１の駆動アーム５２と、第２の駆動アーム（図示せず）と、基板３３の裏側の両端部に設けられた第１及び第２のモータ（駆動部）４７、４８とを備えている。
【００２１】
なお、本明細書において、第１の風向板は、基板の長手方向の両端側において基板に支持された風向板を意味し、第２の風向板は、第１の風向板以外のすべての風向板を意味するものとする。
【００２２】
また、本明細書において、第１の風向板および第２の風向板以外の各部材に対する「第１」および「第２」の文言は、風向変更装置を正面から見たときに、それぞれ風向変更装置の「右側」および「左側」を意味する。
【００２３】
本実施形態では、図７に示すように、１枚の第１の風向板と、４枚の第２の風向板とから、後述する風向板群が形成されている。なお、本実施形態では、第１の風向板は、基板３３の長手方向の両端側においてそれぞれが基板３３に支持された第１の風向板３４及び３６を指しているが、これに限らず、第１の風向板は、基板３３の長手方向の両端側のそれぞれにおいて基板３３に支持された複数の風向板を含むものとしてもよい。
【００２４】
また、本実施形態では、第１の風向板３４，３６と、第２の風向板３５，３７とでは、それらが基板３３に対して端側に配置されているかの点で異なる以外は、それらの基本的構造は共通している。しかし、説明の便宜上、本明細書ではこれら風向板には異なる符号を付すものとする。
【００２５】
本実施形態では、第１の風向板３４，３６及び複数の第２の風向板３５，３７の各々は、基板３３の長手方向に、互いに間隔を置くようにして基板３３に支持されており、それぞれが、空調された空気の吹き出し方向を制御する。
【００２６】
第１の駆動アーム５２は、図７に示すように風向変更装置１２を正面側から見たときに、基板３３の右側に設けられている。第１の駆動アーム５２は、第１の減速装置（図示せず）を介して、基板３３の右端側に設けられた第１のモータ４７に接続されており、基板３３の長手方向に沿って揺動可能に構成されている。
【００２７】
一方、第２の駆動アーム（図示せず）は、図７に示すように風向変更装置１２を正面側から見たときに、基板３３の左側に設けられている。第２の駆動アームは、第２の減速装置（図示せず）を介して、基板３３の左端側に設けられた第２のモータ４８に接続されており、基板３３の長手方向に沿って揺動可能に構成されている。
【００２８】
なお、本明細書において「長手方向に沿って揺動」とは、基板３３の長手方向に沿って直線状に往復する形態だけではなく、基板３３の長手方向に沿って弧状に回動する形態も含んでいてよい。より具体的に説明すると、図７〜９に示す構成例では、第１の駆動アーム５２が、基板３３の長手方向に沿って弧状に回動する動き（弧状の円運動）は、後述する連動板４４を介して、第１の風向板３４及び複数の第２の風向板３５に伝えられる。これにより、図１１に示すように、例えば第１の風向板３４の一方端は、第１の駆動アーム５２の回動に連動して、基板３３の長手方向に沿って弧状に回動する。この長手方向に沿った弧状の回動は、長手方向に沿った揺動の成分と、長手方向に直交する方向に沿った揺動の成分とを有している。ただし、長手方向に沿った揺動の幅は、長手方向に直交する方向に沿った揺動の幅より大きい。したがって、第１の駆動アーム５２、連動板４４及び第１の風向板３４及び複数の第２の風向板３５の主たる動きは、「長手方向に沿った揺動」と表現できる。「長手方向に沿った揺動」に関する以上の説明は、本願の全ての具体例にあてはまる。
【００２９】
第１の駆動アーム５２及び第２の駆動アームそれぞれのアームの先端付近には、第１のピン５５及び第２のピン（不図示）が設けられている。また、第１の連動板４４及び第２の連動板４５には、それぞれの一方端に、第１のピン５５及び第２のピンに係合可能な第１の連結用開口部５８及び第２の連結用開口部（図示せず）が設けられており、第１のピン５５と第１の連結用開口部５８、および第２のピンと第２の連結用開口部を互いに係合することによって、第１の駆動アーム５２及び第２の駆動アームを揺動させて第１の連動板４４及び第２の連動板４５を、それぞれ基板３３の長手方向に沿って揺動させることができる。
【００３０】
なお、本実施形態では、第１及び第２の風向板３４〜３７を、図７に示すように基板３３の右半分に位置する右側風向板群６５と、基板３３の左側半分に位置する左側風向板群６６とに区分し、各風向板群６５，６６をそれぞれ独立して制御可能な構成としている。なお、本実施形態では、右側風向板群６５と、左側風向板群６６とでは、基板３３に対する配置が異なる以外はそれらの構成は共通する。そこで、以下では、右側風向板群６５の構成を中心として説明する。
【００３１】
まず、本実施形態に係る第１及び第２の風向板３４，３５ついて、再度図７〜１１を参照して具体的に説明する。
【００３２】
（風向板）
これらの図を参照して説明すると、第１の風向板３４（以下、単に「風向板３４」ともいう）は、主として、羽根部７１（図９，１０を参照）と、羽根部７１を支持して基板３３（図７等を参照）に立設された接続部８１とを備えている。本実施形態では、接続部８１が基板３３に固定されることによって、第１の風向板３４の一方端が基板３３の長手方向に沿って揺動するように基板３３に支持されている。羽根部７１は、硬質部７３と、硬質部７３の一方側部に形成されて接続部８１に接続される軟質部７８とから構成されている。接続部８１は、基板３３からの立ち上がり方向が硬質部７３と軟質部７８との境界線に沿って平行または略平行になるように形成されている。また、軟質部７８と接続部８１との境界線が、軟質部７８が前記長手方向に沿って弧状に回動（すなわち揺動）するための基軸となっている。これにより、第１の風向板３４は、図１１に示すように羽根部７１が揺動可能となっている。
【００３３】
硬質部７３は、硬質部７３の平面を貫通するようにして設けられた支軸用開口部７４を備えている。支軸用開口部７４において、基板３３側の周壁には、当該周壁から支軸用開口部７４の内方に向かって突出した第１の支軸（支持部）７５が設けられている。なお、第１の支軸７５の突出方向（軸方向）と、前記第１のピン５５の突出方向（軸方向）とは平行であり、接続部８１の立ち上がり方向とも平行である。第１の支軸７５は、詳しくは後述する連動板４４を回動可能に軸支するとともに、連動板４４の平面に設けられた第１の開口部６９（係止部）に、遊びを持って係止される。
【００３４】
第１の支軸７５の軸方向両端側には、第１のフランジ部７６及び第２のフランジ部７７が設けられている。本実施形態では、第１のフランジ部７６と第２のフランジ部７７との間に連動板４４（図７等を参照）を配置することによって、連動板４４が第１の支軸７５から抜けてしまうのを防止するとともに、連動板４４と支軸用開口部７４の周壁とが直接的に接触することを防止する。また、このように配置することによって、連動板４４と駆動アーム５２とが直接的に接触することを防止して、第１の風向板３４及び第２の風向板３５によるスムーズな風向変更を可能としている。
【００３５】
羽根部７１における硬質部７３及び軟質部７８は、例えばポリプロピレン等の合成樹脂よって一体的に形成してもよい。その際、軟質部７８が硬質部７３よりも薄肉状になるようにしてもよい。このようにすれば、第１の風向板３４及び複数の第２の風向板３５の風向きを細かく制御することができる。
【００３６】
なお、本実施形態において、第２の風向板３５は、基板３３に対する配置が第１の風向板３４と異なる他は、第１の風向板３４と基本的には共通する。すなわち、本実施形態において、第２の風向板３５は、第１の風向板３４と同一形状を有するとともに、第２の風向板３５には、第１の風向板３４の第１の支軸７５に対応する第２の支軸（支持部）８６が設けられている点において共通する。一方で、第２の支軸８６は、詳しくは次に説明する第１の連動板４４の第２の開口部７０に遊びを持って係止される点でのみ相違する。このようなことから、第２の風向板３５の具体的な構成についての説明は省略する。
【００３７】
（連動板）
続いて、第１の連動板４４について説明する。第１の連動板４４には、図１２に示すように、第１の連動板４４の平面を貫通するようにして設けられた第１の開口部（係止部）６９と、複数の第２の開口部（係止部）７０とが形成されている。
【００３８】
本実施形態では、第１の開口部６９は、第２の開口部７０よりも開口面積を大きくすることで、第１の連動板４４が第１の風向板３４を揺動させる際の遊びが、第１の連動板４４が複数の第２の風向板３５を揺動させる際の遊びよりも大きくなるように形成されている。なお、本実施形態では、図１２に示すように、第１の開口部６９の輪郭は、第１の連動板４４の長手方向に対して長手側が斜めに設けられた略小判形状の一部分が、第１の連結用開口部５８側に向かって略長鼻状に突出した形状である。一方、第２の開口部７０の輪郭は、第１の連動板４４に設けられた円形状が、第１の連動板４４の長手方向両端側に向かって翼形状に延びた形状である。しかしながら、本発明における第１の開口部および第２の開口部の輪郭は、図１２に示す形状に限定されるものではなく、例えば後述する変形例に示すような形状としてもよい。また、こうした遊びの大きさの相違による本発明の効果については後述する。
【００３９】
第１の開口部６９及び複数の第２の開口部７０は、それぞれが上述した第１の支軸７５及び複数の第２の支軸８６を、遊びを持たせて係止するように構成されている。
【００４０】
続いて、風向変更装置１２の動作について、さらに図１３を加えて具体的に説明する。
【００４１】
〔風向変更装置の動作〕
図１３は、本実施形態に係る風向変更装置の動作を示す模式図であって、（ａ）は駆動アームが揺動していない状態における風向板の配置を示し、（ｂ）は駆動アームが揺動したときの風向板の配置を示す。
【００４２】
これらの図を参照して説明すると、第１の駆動アーム５２が基板３３の長手方向に沿って弧状に回動（揺動）すると、それに従って第１の駆動アーム５２に連結された第１の連動板４４も、基板３３の長手方向に沿って弧状に回動（揺動）する。その際、第１の風向板３４の第１の支軸７５は、第２の風向板３５における第２の支軸８６が係止される第２の開口部７０とは遊びの大きさの異なる第１の開口部６９によって係止される。そのため、第１の風向板３４と第２の風向板３５との間には、第１の連動板４４の揺動に伴った位置関係の違いが生じる。
【００４３】
この違いによる結果について図１３を参照してより詳細に説明すると、第１の駆動アーム５２（図７等を参照）及び第２の駆動アーム（図示せず）が基板３３の長手方向に沿って弧状に回動（揺動）していない状態において、第１の風向板３４，３６及び複数の第２の風向板３５，３７は、図１３の（ａ）に示すように配置されている。これに対して、第１の駆動アーム５２及び第２の駆動アームがそれぞれ基板３３の長手方向に沿って弧状に回動（揺動）すると、図１３の（ｂ）に示すように、基板３３の長手方向に対する第１の風向板３４の傾き角度は、基板３３の長手方向に対する第２の風向板３５の傾き角よりも小さくなる。これは、第１の連動板４４及び第２の連動板４５の弧状の回動（揺動）に連動した第１の風向板３４，３６に対応する遊びが、第２の風向板３５，３７に対応する遊びよりも大きいためであり、第１の風向板３４，３６は、第２の風向板３５，３７と比較して、第１の連動板４４及び第２の連動板４５の各々の弧状の回動（揺動）と連動する影響を受けにくくなるからである。
【００４４】
その結果、第１の風向板３４，３６からの空気の吹き出し流の向きは、図１３の（ｂ）に示すように、第２の風向板３５，３７と比較して、第１の風向板３４，３６に傾きを与えないときの空気の吹き出し流の向き、すなわち図１３の（ａ）に示す向き、に近くなる。
【００４５】
これにより、図示しない空気調和機の吹出口の側面付近における空気の流れは安定するので、図２０を参照して説明した渦の発生が抑制される。そのため、吹出口から正常に流れる状態と、風が逆流する状態との交互の発生、すなわちサージング現象を抑制することができる。また、これによれば風の逆流が抑制されるため、逆流した湿った風が冷たい風で冷やされ、吹出口の側壁面で結露が発生することが抑制される。
【００４６】
なお、本実施形態では、上述したように空気調和機は、清掃装置等の特定の部品を備えているが、本発明の空気調和機は、少なくとも本発明に係る風向変更装置を備えていれば、他の部品を備えていなくてもよい。
【００４７】
また、本実施形態に係る風向変更装置は、特定形状の風向板及び連動板を備えているが、本発明に係る風向変更装置は、少なくとも基板の長手方向に、互いに間隔を置くようにして各々が基板に支持された複数の風向板と、複数の風向板の一方端の各々が、基板の長手方向に沿って揺動するように、複数の風向板を、各々遊びを持たせて係止する複数の係止部を備えた連動板と、連動板を基板の長手方向に沿って揺動させる駆動部とを有しており、基板の長手方向の少なくとも両端側において基板に支持された風向板の遊びの大きさは、他の風向板の遊びの大きさと異なる構成であれば、風向板及び連動板は他の構成を有していてもよい。
【００４８】
さらに、本実施形態では、連動板が基板の長手方向に沿って弧状に回動する構成としているが、例えば、連動板が基板の長手方向に沿って直線状に往復するような構成としてもよい。
【００４９】
さらに、本実施形態に係る風向変更装置において、複数の風向板は右側及び左側風向板群に区別されているが、これらが一体化された構成としてもよい。
【００５０】
さらに、本実施形態では、特定形状の開口部を備えた連動板について説明したが、本発明において、連動板に設けられる開口部は他の形状を有していてもよい。
【００５１】
そこで、以下では、連動板における開口部の形状の変形例について、図１４を参照して説明する。なお、すでに説明した部材と同じ機能を有する部材については、同じ符号を付し、その説明を省略する。
【００５２】
〔開口部の変形例〕
図１４の（ａ）〜（ｃ）は、それぞれ、本実施形態に係る連動板の変形例を示す平面図である。
【００５３】
はじめに、図１４の（ａ）に示すように、連動板５４には、連動板５４の長手方向に対する第１の開口部７２の傾き角度が異なる点で図１２に示した第１の開口部６９とは異なる、第１の開口部７２が設けられていてもよい。なお、第１の連結用開口部５８は、図１２にも示すように、長手方向に直交する方向に長い長孔として形成されている。そして、第１の開口部７２が、第１の開口部６９と同様に、長手方向に対して傾き角度を有しているのは、第１の連結用開口部５８に案内される第１のピン５５（図７〜９を参照）の動き方向が、長手方向に対する交差成分を持っているためである。
【００５４】
または、図１４の（ｂ）に示すように、連動板６４には、第１の開口部９４の大きさが異なる点で図１２に示した第１の開口部６９とは異なる、第１の開口部９４が設けられていてもよい。なお、図１４の（ｂ）に示す第１の開口部９４は、図１２に示した第１の開口部６９よりも開口部の大きさが小さくなるように設けられている。
【００５５】
あるいはまた、図１４の（ｃ）に示すように、連動板８４は、連動板８４の長手方向に対する傾き角度が異なるとともに、互いに形状の異なる複数の第１の開口部７７，９６を有する点で、図１２に示した連動板４４と異なるような構成であってもよい。
【００５６】
図１４の（ａ）及び（ｂ）に示すように、第１の開口部７２，９４を変更することによって、第１の風向板３４の、基板の長手方向に対する風向角を容易に異ならせることができる。
【００５７】
また、図１４の（ｃ）に示すようにして、複数の第１の風向板３４の各々を、互いに大きさの異なる２種以上の遊びでもって係止されるような構成とすれば、複数の第１の風向板３４について、基板３３（図７等を参照）の長手方向に対する風向板の角度を異ならせることができる。したがって、この構成によれば、空調された空気の吹き出し方向を、基板３３の長手方向の位置に応じて、より多様に異ならせることができる。
【００５８】
さらに、図１４に示したような構成の他にも、例えば、第１の開口部および第２の開口部をそれぞれ円形状とするとともに、第１の開口部の円形状を第２の開口部の円形状よりも大きくしてもよい。なお、このような場合には、第１の開口部から第１の支軸が抜け出ないように、第１の支軸に第１の開口部を指し込んだ後に、第１の支軸に対して別体の抜け防止部材（図示せず）を取り付けることが好ましい。
【００５９】
〔実施形態２〕
本発明に係る風向変更装置の他の実施形態について、図１５〜図１７を参照して説明する。
【００６０】
図１５は、本実施形態に係る風向変更装置の一部分を拡大して示す斜視図である。また、図１６は、図１５に対応した図であって、（ａ）は主連動板の正面図であり、（ｂ）は主連動板の平面図であり、（ｃ）は副連動板の正面図であり、（ｄ）は副連動板の平面図であり、（ｅ）は主連動板の斜視図であり、（ｆ）は副連動板の斜視図である。また、図１７は、図１５に対応した図であって、風向変更装置を正面から見たときの各構成部材の動きを説明するための、風向変更装置の一部を模式的に示す正面図である。なお、実施形態１において説明した部材と同じ機能を有する部材については、同じ符号を付し、その説明を省略する。
【００６１】
これらの図を参照して説明すると、本実施形態に係る風向変更装置１５において、連動板８０は、主連動板８２と、副連動板８５とから構成されている。主連動板８２は、基板３３の長手方向端部側において、その一部が上方に突出して形成された突出部８７を有するとともに、突出部８７には、副連動板８５と当接可能な内壁８８が形成されている。一方、副連動板８５は、正面視略Ｕ字形状に構成され、主連動板８２に対してスライド可能に係合している。また、副連動板８５は、突出部８７の内壁８８に当接する当接部９５を有している。
【００６２】
主連動板８２は、基板３３の長手方向の両端側において基板３３に支持された第１の風向板（風向板）３４以外の風向板である、複数の第２の風向板３５を、遊びを持たせて係止するために、複数の主開口部（主係止部）８９を備えている。一方、副連動板８５は、基板３３の長手方向の少なくとも端側において基板３３に支持された第１の風向板（風向板）３４を、各々遊びを持たせて係止する副開口部９２（副係止部）を備えている。
【００６３】
主連動板８２は、モータ（図示せず）によって、基板３３の長手方向に沿って揺動されるように構成されている。また、主連動板８２の突出部８７の内壁８８が副連動板８５の当接部９５に当接すると、副連動板８５は揺動されるように構成されている。
【００６４】
このような構成の風向変更装置１５における遊びについて図１７に基づいて説明すると、本実施形態における遊びは、図示しないモータの力（駆動力）を与えられて、主連動板８２が動いたときに、第２の風向板３５に対応する主連動板８２の１つの作用点（主開口部８９の周壁に相当）が、第２の風向板３５に当接するまでに移動する距離（Ｌ１）に相当する。すなわち、この遊びは、主連動板８２にモータの力が与えられて主連動板８２が揺動したときに、主連動板８２が第２の風向板３５に当接するまでに移動する距離に相当する。
【００６５】
第２の風向板３５に当接した作用点は、移動を継続することによって、第２の風向板３５の向きを、作用点が移動する方向に沿って変える。したがってこの距離を短くすれば、この作用点は、対応する第２の風向板３５に早く当接し、この距離を長くすれば、作用点は、対応する第２の風向板３５に遅れて当接する。
【００６６】
つまり、各作用点の動きは、主連動板８２の動きに一致するので、各作用点が移動を開始してから止まるまでの総移動距離は同じになる。そうすると、第２の風向板３５に早く当接する作用点は、第２の風向板３５に遅く当接する作用点よりも、第２の風向板３５の向きを大きく変えることができる。
【００６７】
したがって、図１７に示す風向変更装置１５において、主連動板８２が第２の風向板３５に当接するまでに主連動板８２が移動する距離、および、副連動板８５が第１の風向板３４に当接するために副連動板８５が移動する距離をそれぞれ（Ｌ１）とし、主連動板８２（の内壁８８）が副連動板８５（の当接部９５）に当接するまでに主連動板８２が移動する距離を（Ｌ２）とすると、副連動板８５は、主連動板８２の揺動によって距離（Ｌ２）まで揺動させられた後、主連動板８２が副連動板８５に当接して初めて、副連動板８５は、第１の風向板３４を距離（Ｌ１）だけ揺動させることができる。
【００６８】
このような構成によれば、第１の風向板３４は、第２の風向板３５よりも遅れて距離（Ｌ１）までの揺動を開始する。その際、第２の風向板３５の遊びは、距離（Ｌ１）に対応し、一方で、第１の風向板３４の遊びは、距離（Ｌ１＋Ｌ２）に対応する。このような構成によっても、第１の風向板３４の遊びを第２の風向板３５の遊びより大きくすることができる。
【００６９】
〔実施形態３〕
本発明に係る風向変更装置のさらに他の実施形態について、図１８および図１９を参照して説明する。
【００７０】
図１８は、本実施形態に係る風向板の側面図であり、図１９は、図１８に示した風向板の上面図である。なお、本実施形態において、実施形態１及び２において説明した部材と同じ機能を有する部材については同じ符号を参照し、その説明を省略する。
【００７１】
これらの図を参照して説明すると、本実施形態において、風向板１３４は、主として羽根部１７３から構成されている。羽根部１７３は、羽根部１７３の平面を貫通するようにして設けられた支持用開口部１７４を備えている。支持用開口部１７４において、図示しない基板側の周壁には、当該周壁から支持用開口部１７４の内方に向かって突出した第１の支軸（支持部）１７５が設けられている。また、基板側に配置される羽根部１７３の末端には、ツメ部１７８が接続されている。さらに、基板の上面には、基板の上面で回動可能な回転盤１３６が取付けられている。回転盤１３６には、ツメ部１７８を取り付け可能な取付部（図示せず）が設けられている。本実施形態では、ツメ部１７８を取付部に取付けることで、風向板１３４の一方端は基板の長手方向に沿って揺動し、他方端は回動するようにして基板に支持される。そのため、ツメ部１７８を回転盤１３６に取付けるとともに、第１の支軸１７５によって連動板（図示せず）を回動可能に軸支すれば、連動板の揺動に伴った風向板１３４の揺動を実現することができる。
【００７２】
本実施形態によれば、風向板の羽根部を、実施形態１に示したように硬質部と軟質部の２つの異なる部材から構成するのではなく、１つの部材から構成することができるため、実施形態１に示した風向板３４（図１０を参照）と比較して、風向板１３４の構成を簡略化することができる。
【００７３】
〔まとめ〕
本発明の態様１に係る風向変更装置（１２）は、複数の風向板（第１及び第２の風向板３４〜３７）の各々が、当該複数の風向板の一方端の各々が基板（３３）の長手方向に沿って揺動するように、基板（３３）の長手方向において互いに間隔を置くようにして基板（３３）に支持され、空調された空気の吹き出し方向を制御する複数の風向板（第１及び第２の風向板３４〜３７）と、当該複数の風向板の一方端の各々が、当該長手方向に沿って揺動するように、当該複数の風向板を、各々遊びを持たせて係止する複数の開口部（第１及び第２の開口部６９，７０、係止部に相当）を備えた連動板（第１及び第２の連動板４４，４５）と、当該連動板を前記長手方向に沿って揺動させるモータ４７，４８（駆動部）とを有しており、前記長手方向の少なくとも両端側において基板（３３）に支持された風向板（第１の風向板３４，３６）の当該遊びの大きさは、他の風向板（第２の風向板３５，３７）の遊びの大きさと異なっている。
【００７４】
上記構成によれば、基板の長手方向の少なくとも両端側において基板に支持された風向板は、他の風向板の遊びとは異なる遊びで係止される。そのため、連動板の揺動に伴った風向板と連動板との位置関係の違いが生じる。これにより、風向板による風向の違いが生じる。
【００７５】
本発明の態様２に係る風向変更装置は、上記態様１において、前記長手方向の少なくとも両端側において基板に支持された風向板の前記遊びの大きさは、前記他の風向板の前記遊びの大きさよりも大きくてもよい。
【００７６】
上記構成によれば、連動板の揺動と連動した基板の長手方向に対する風向板の傾き角度に関して、当該長手方向の少なくとも両端側において基板に支持された風向板（以下、両端側風向板という）の傾き角度は、他の風向板の角度よりも小さくなる。これは、両端側風向板の係止部における遊びが、他の風向板の係止部における遊びよりも大きいため、両端側風向板は、他の風向板と比較して、連動板の揺動と連動する影響を受けにくくなるためである。これにより、両端側風向板からの空気の吹き出し流の向きは、他の風向板と比較して、両端側風向板に傾きを与えないときの空気の吹き出し流の向きに近くなる。
【００７７】
本発明の態様３に係る風向変更装置は、上記態様１において、前記係止部は、前記連動板の平面を貫通するようにして設けられた開口部であり、前記風向板は、前記連動板を回動可能に軸支するとともに、当該連動板の当該開口部に係止される支持部を備えていてもよい。
【００７８】
上記構成によれば、簡易な構成によって、風向板による風向きの違いの発生を実現することができる。
【００７９】
本発明の態様４に係る風向変更装置は、上記態様１〜３において、前記遊びは、駆動力を与えられて働く前記連動板の作用点が、前記風向板の１つに当接して当該風向板の１つを動かし始めるまでに移動する距離であって、前記長手方向の少なくとも両端側において基板に支持された風向板に対応する当該距離は、前記他の風向板に対応する当該距離よりも大きくてもよい。
【００８０】
上記構成によれば、遊びは、連動板に駆動力が与えられて、連動板が動いたときに、風向板の１つに対応する連動板の１つの作用点が、当該風向板の１つに当接するまでに移動する距離に相当する。当該風向板の１つに当接した作用点は、移動を継続することによって、当該風向板の１つの向きを、作用点が移動する方向に沿って変える。上記距離を短くすれば、作用点は、対応する風向板に早く当接し、上記距離を長くすれば、作用点は、対応する風向板に遅れて当接する。各作用点の動きは、連動板の動きに一致するので、各作用点が移動を開始してから止まるまでの総移動距離は同じになる。そうすると、風向板に早く当接する作用点は、風向板に遅く当接する作用点よりも、風向板の向きを大きく変えることができる。こうして、簡易な構成によって、風向板による風向の違いの発生を実現することができる。
【００８１】
本発明の態様５に係る風向変更装置は、上記態様１〜４において、前記長手方向の両端側のそれぞれにおいて基板に支持された複数の風向板は、互いに大きさの異なる２種以上の遊びを有していてもよい。
【００８２】
上記構成によれば、長手方向の両端側のそれぞれにおいて基板に支持された複数の風向板について、長手方向に対する風向板の角度を異ならせることができる。したがって、空調された空気の吹き出し方向を、長手方向の位置に応じて、より多様に異ならせることができる。
【００８３】
本発明の態様６に係る風向変更装置は、上記態様１において、前記連動板は、主連動板と、当該主連動板に対してスライド可能に係合するとともに当該主連動板に当接する当接部を有する副連動板とから構成され、前記主連動板は、前記長手方向の前記両端側において基板に支持された前記風向板以外の他の複数の風向板を、各々遊びを持たせて係止する複数の主係止部を備えており、前記副連動板は、前記長手方向の少なくとも両端側において基板に支持された前記風向板を、各々遊びを持たせて係止する副係止部を備えており、前記主連動板は、前記駆動部によって、前記長手方向に沿って揺動され、前記副連動板に当接して、当該副連動板を揺動させるように構成されていてもよい。
【００８４】
上記構成によれば、副連動板に係止された両端側風向板は、主連動板に係止された、両端側風向板以外の風向板よりも遅れて揺動を開始する。なぜなら、主連動板の揺動によって揺動させられた後、主連動板が副連動板に当接して初めて、副連動板は両端側風向板を揺動させることができるからである。これにより、両端側風向板の遊びを、両端側風向板以外の風向板の遊びより大きくすることができる。
【００８５】
本発明に係る空気調和機は、上記いずれかの態様に係る風向変更装置を備えたものである。
【００８６】
上記構成によれば、容易な構成によって風向を変更可能である。そのため、安価な構造によって製造コストを低減することができる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１        ・・・空気調和機
１２，１５・・・風向変更装置
３３      ・・・基板
３４，３６・・・第１の風向板（両端側において基板に支持された風向板）
３５      ・・・第２の風向板（風向板）
４４      ・・・第１の連動板（連動板）
４５      ・・・第２の連動板（連動板）
４７，４８・・・モータ（駆動部）
６９      ・・・第１の開口部（係止部）
７０      ・・・第２の開口部（係止部）
８０      ・・・連動板
８２      ・・・主連動板
８５      ・・・副連動板
【図１】
2018031575.tif 000003
【図２】
2018031575.tif 000004
【図３】
2018031575.tif 000005
【図４】
2018031575.tif 000006
【図５】
2018031575.tif 000007
【図６】
2018031575.tif 000008
【図７】
2018031575.tif 000009
【図８】
2018031575.tif 000010
【図９】
2018031575.tif 000011
【図１０】
2018031575.tif 000012
【図１１】
2018031575.tif 000013
【図１２】
2018031575.tif 000014
【図１３】
2018031575.tif 000015
【図１４】
2018031575.tif 000016
【図１５】
2018031575.tif 000017
【図１６】
2018031575.tif 000018
【図１７】
2018031575.tif 000019
【図１８】
2018031575.tif 000020
【図１９】
2018031575.tif 000021
【図２０】
2018031575.tif 000022
【図２１】
2018031575.tif 000023